(57)【特許請求の範囲】
【請求項１】
締結対象物に設けられた雄ネジ部に締結される雌ネジ部を有する内側部材と、
該内側部材の径方向の外側に、該内側部材に対して回転可能に装着される外側部材と、を備えたナットであって、
前記内側部材は、締結方向の後方に設けられた内側支持部と、前記締結方向の前方に設けられた内側係合部と、を有する内側当接体を備え、
前記外側部材は、前記締結方向の前方に設けられた外側支持部と、前記締結方向の後方に設けられた外側係合部と、を有する外側当接体を備え、
前記外側部材に所定量未満の前記締結方向へのトルクが加えられた場合に、前記内側支持部と前記外側支持部とが当接して、前記外側部材から前記内側部材へ前記トルクが伝達され、
前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、
前記内側当接体は、前記径方向の内側に、前記締結方向の後方に向かうにしたがって次第に前記径方向の内側に向かう内側摺動面を有し、
前記外側当接体は、前記径方向の外側に、前記締結方向の後方に向かうにしたがって次第に前記径方向の内側に向かう外側摺動面を有し、
前記外側部材に前記所定量以上の前記締結方向へのトルクが加えられた場合に、前記外側係合部と前記内側係合部とが係合した後、前記外側当接体が前記内側当接体よりも前記径方向の内側に配置されるように前記外側当接体と前記内側当接体とは離間し、
前記外側部材に前記締結方向と反対方向の弛緩方向へのトルクが加えられると、前記外側摺動面が前記内側摺動面に沿って摺動可能に構成されていることを特徴とするナット。
【請求項２】
締結対象物に設けられた雄ネジ部に締結される雌ネジ部を有する内側部材と、
該内側部材の径方向の外側に、該内側部材に対して回転可能に装着される外側部材と、を備えたナットであって、
前記内側部材は、締結方向の後方に設けられた内側支持部と、前記締結方向の前方に設けられた内側係合部と、を有する内側当接体を備え、
前記外側部材は、前記締結方向の前方に設けられた外側支持部と、前記締結方向の後方に設けられた外側係合部と、を有する外側当接体を備え、
前記外側部材に所定量未満の前記締結方向へのトルクが加えられた場合に、前記内側支持部と前記外側支持部とが当接して、前記外側部材から前記内側部材へ前記トルクが伝達され、
前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、
前記外側部材の外周面には、前記径方向に貫通する開口部が形成され、
前記内側部材には、前記開口部に配置される突起部を有し、
前記外側部材に前記所定量以上の前記締結方向へのトルクが加えられた場合に、前記突起部が前記開口部の所定の位置に配置されることを特徴とするナット。
【請求項３】
締結対象物に設けられた雄ネジ部に締結される雌ネジ部を有する内側部材と、
該内側部材の径方向の外側に、該内側部材に対して回転可能に装着される外側部材と、を備えたナットであって、
前記内側部材は、締結方向の後方に設けられた内側支持部と、前記締結方向の前方に設けられた内側係合部と、を有する内側当接体を備え、
前記外側部材は、前記内側部材の径方向の外側に配置され環状に形成された外環状体と、該外環状体の内周面から径方向の内側に突出する基部と、該基部から前記締結方向の前方に延び弾性変形可能な腕部と、を有し、
前記腕部は、前記締結方向の前方に設けられた外側支持部と、前記締結方向の後方に設けられた外側係合部と、を有する外側当接体を有し、
前記外側部材に所定量未満の前記締結方向へのトルクが加えられた場合に、前記内側支持部と前記外側支持部とが当接して、前記外側部材から前記内側部材へ前記トルクが伝達され、
前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、
前記内側当接体は、前記内側部材の環状に形成された内環状体の上面から上方に突出し、
前記外側当接体は、前記腕部の先端部に下方に向かって延びるように設けられていることを特徴とするナット。
【請求項４】
前記外側部材は、
前記外側部材の内周面から前記径方向に突出する基部と、
該基部から前記締結方向の前方に延び、弾性変形可能な腕部と、を備え、
前記外側当接体は、前記腕部の前記締結方向の前端部に設けられている請求項１または２に記載のナット。
【発明の詳細な説明】
【技術分野】
【０００１】
本発明は、ナットに関するものである。
【背景技術】
【０００２】
従来から、キッチンや洗面等のシンクとトラップ等の配管とをナットを用いて接続している。このような配管用ナットとして、シンク側に設けられた雄ネジに締結される雌ネジが設けられた内ネジ部材と、内ネジ部材を内部に収容し締結方向への回転トルクを内ネジ部材に伝える外殻部材と、を備え、内ネジ部材の外側には突片が設けられ、外殻部材の内側には複数の突起からなり、内ネジ部材の突片と噛み合うラチェット部が設けられたものが提案されている（下記特許文献１参照）。この配管用ナットでは、外殻部材に締結方向への基準未満の回転トルクが加えられた場合には、突片とラチェット部とが噛み合い内ネジ部材に回転トルクが伝達され、基準以上の回転トルクが加えられた場合には、突片とラチェット部との噛み合いが解消され、外殻部材は内ネジ部材に対して空転する構成とされている。
【先行技術文献】
【特許文献】
【０００３】
【特許文献１】特許第４７５６２０４号公報
【発明の概要】
【発明が解決しようとする課題】
【０００４】
しかしながら、上記の特許文献１に記載の配管用ナットでは、内ネジ部材がシンクの雄ネジに対して適正に締結されたかどうかについて、施工業者等の使用者が外殻部材の空転を感覚的に認識するしかなく、確認しづらいという問題点がある。特に、キッチンのシンクとトラップとを連結させるナットでは、内ネジ部材が適正に締結されていないと、当該箇所から漏水する可能性があるため、使用者にとって内ネジ部材の締結を確認しやすい構成が望まれている。
【０００５】
そこで、本発明は、上記事情に鑑みてなされたものであり、適正に締結できるとともに、適正に締結されたことを使用者が確認しやすいナットを提供する。
【課題を解決するための手段】
【０００６】
上記目的を達成するために、本発明は以下の手段を採用している。
すなわち、本発明に係るナットは、締結対象物に設けられた雄ネジ部に締結される雌ネジ部を有する内側部材と、該内側部材の径方向の外側に、該内側部材に対して回転可能に装着される外側部材と、を備えたナットであって、前記内側部材は、締結方向の後方に設けられた内側支持部と、前記締結方向の前方に設けられた内側係合部と、を有する内側当接体を備え、前記外側部材は、前記締結方向の前方に設けられた外側支持部と、前記締結方向の後方に設けられた外側係合部と、を有する外側当接体を備え、前記外側部材に所定量未満の前記締結方向へのトルクが加えられた場合に、前記内側支持部と前記外側支持部とが当接して、前記外側部材から前記内側部材へ前記トルクが伝達され、前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、前記内側当接体は、前記径方向の内側に、前記締結方向の後方に向かうにしたがって次第に前記径方向の内側に向かう内側摺動面を有し、前記外側当接体は、前記径方向の外側に、前記締結方向の後方に向かうにしたがって次第に前記径方向の内側に向かう外側摺動面を有し、前記外側部材に前記所定量以上の前記締結方向へのトルクが加えられた場合に、前記外側係合部と前記内側係合部とが係合した後、前記外側当接体が前記内側当接体よりも前記径方向の内側に配置されるように前記外側当接体と前記内側当接体とは離間し、前記外側部材に前記締結方向と反対方向の弛緩方向へのトルクが加えられると、前記外側摺動面が前記内側摺動面に沿って摺動可能に構成されていることを特徴とする。
また、本発明に係るナットは、締結対象物に設けられた雄ネジ部に締結される雌ネジ部を有する内側部材と、該内側部材の径方向の外側に、該内側部材に対して回転可能に装着される外側部材と、を備えたナットであって、前記内側部材は、締結方向の後方に設けられた内側支持部と、前記締結方向の前方に設けられた内側係合部と、を有する内側当接体を備え、前記外側部材は、前記内側部材の径方向の外側に配置され環状に形成された外環状体と、該外環状体の内周面から径方向の内側に突出する基部と、該基部から前記締結方向の前方に延び弾性変形可能な腕部と、を有し、前記腕部は、前記締結方向の前方に設けられた外側支持部と、前記締結方向の後方に設けられた外側係合部と、を有する外側当接体を有し、前記外側部材に所定量未満の前記締結方向へのトルクが加えられた場合に、前記内側支持部と前記外側支持部とが当接して、前記外側部材から前記内側部材へ前記トルクが伝達され、前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、前記内側当接体は、前記内側部材の環状に形成された内環状体の上面から上方に突出し、前記外側当接体は、前記腕部の先端部に下方に向かって延びるように設けられていることを特徴とする。
【０００７】
このように構成されたナットでは、外側部材の内周面には径方向に突出する基部が設けられ、基部から締結方向の前方に弾性変形可能な腕部が延び、腕部の前端部に外側当接体が設けられている。これにより、外側部材に所定量未満の締結方向へのトルクが加えられた状態では、腕部が弾性変形することで、腕部の前端部に設けられた外側当接体の外側支持部が、内側部材の内側支持部に当接した状態を維持することができる。よって、外側部材から内側部材へトルクが伝達された状態を維持することができる。
また、外側部材に所定量以上の締結方向へのトルクが加えられ、外側当接体の外側支持部が内側支持部を締結方向の前方に乗り越えると、腕部は元の状態に戻ろうと弾性変形する。外側当接体は腕部の前端部に設けられているため、腕部が元の状態に戻る際に、外側当接体に大きな力が作用し、勢いよく戻る。よって、外側当接体の外側係合部が内側部材の内側係合部と係合する際に、確実に衝突音を発することができる。
また、外側部材に所定量以上の締結方向へのトルクが加えられると、外側係合部と内側係合部とが係合した後、外側当接体が内側当接体よりも径方向の内側に配置されるように外側当接体と内側当接体とは離間する。この状態から、外側部材に締結方向と反対方向の弛緩方向へのトルクが加えられると、外側当接体の径方向の外側に設けられた外側摺動面が、内側当接体の径方向の内側に設けられた内側摺動面に沿って摺動する。外側摺動面及び内側摺動面は、ともに締結方向の後方に向かうにしたがって次第に径方向の内側に向かうように形成されているため、外側摺動面が内側摺動面に沿って摺動する際に、互いに干渉することなく、滑らかに摺動する。よって、ナットを締結対象物から、大きなトルクを加えずに容易に取り外すことができる。
【０００８】
また、本発明に係るナットでは、前記外側部材は、前記外側部材の内周面から前記径方向に突出する基部と、該基部から前記締結方向の前方に延び、弾性変形可能な腕部と、を備え、前記外側当接体は、前記腕部の前記締結方向の前端部に設けられていることが好ましい。
【０００９】
このように構成されたナットでは、外側部材の内周面には径方向に突出する基部が設けられ、基部から締結方向の前方に弾性変形可能な腕部が延び、腕部の前端部に外側当接体が設けられている。これにより、外側部材に所定量未満の締結方向へのトルクが加えられた状態では、腕部が弾性変形することで、腕部の前端部に設けられた外側当接体の外側支持部が、内側部材の内側支持部に当接した状態を維持することができる。よって、外側部材から内側部材へトルクが伝達された状態を維持することができる。
また、外側部材に所定量以上の締結方向へのトルクが加えられ、外側当接体の外側支持部が内側支持部を締結方向の前方に乗り越えると、腕部は元の状態に戻ろうと弾性変形する。外側当接体は腕部の前端部に設けられているため、腕部が元の状態に戻る際に、外側当接体に大きな力が作用し、勢いよく戻る。よって、外側当接体の外側係合部が内側部材の内側係合部と係合する際に、確実に衝突音を発することができる。
【００１２】
また、本発明に係るナットは、締結対象物に設けられた雄ネジ部に締結される雌ネジ部を有する内側部材と、該内側部材の径方向の外側に、該内側部材に対して回転可能に装着される外側部材と、を備えたナットであって、前記内側部材は、締結方向の後方に設けられた内側支持部と、前記締結方向の前方に設けられた内側係合部と、を有する内側当接体を備え、前記外側部材は、前記締結方向の前方に設けられた外側支持部と、前記締結方向の後方に設けられた外側係合部と、を有する外側当接体を備え、前記外側部材に所定量未満の前記締結方向へのトルクが加えられた場合に、前記内側支持部と前記外側支持部とが当接して、前記外側部材から前記内側部材へ前記トルクが伝達され、前記外側部材に前記所定量以上の前記締結方向へのトルクが加えられた場合に、前記外側支持部が前記内側支持部を前記締結方向の前方に乗り越えるとともに、前記外側係合部と前記内側係合部とが衝突音を発しつつ係合可能に構成され、前記外側部材の外周面には、前記径方向に貫通する開口部が形成され、前記内側部材には、前記開口部に配置される突起部を有し、前記外側部材に前記所定量以上の前記締結方向へのトルクが加えられた場合に、前記突起部が前記開口部の所定の位置に配置されていてもよい。
【００１３】
このように構成されたナットでは、外側部材に所定量以上の締結方向へのトルクが加えられた場合に、内側部材の突起部が外側部材の外周面に形成された開口部の所定の位置に配置される。よって、使用者は、突起部が所定の位置に配置されたことを目視で確認することで、ナットが締結対象物に適正に締結されたと把握することができる。
【発明の効果】
【００１４】
本発明に係るナットによれば、適正に締結できるとともに、適正に締結されたことを使用者が確認しやすい。
【図面の簡単な説明】
【００１５】
【図１】本発明の一実施形態に係るナットが締結されたキッチンの槽体の側面図である。
【図２】本発明の一実施形態に係るナットをキッチンの槽体から取り外し、上方から見た分解斜視図である。
【図３】本発明の一実施形態に係るナットをキッチンの槽体から取り外し、下方から見た分解斜視図である。
【図４】本発明の一実施形態において、外側部材に締結方向へのトルクが加えられていない状態のナットの右側は平面図、左側は水平断面図である。
【図５】本発明の一実施形態において、外側部材に締結方向へのトルクが加えられていない状態のナットの側面図である。
【図６】本発明の一実施形態に係るナットにおいて、締結する際の外側当接体の軌跡を示す図である。
【図７】本発明の一実施形態において、外側部材に締結方向へのトルクが加えられた状態のナットの右側は平面図、左側は水平断面図である。
【図８】図７よりも、外側部材がさらに締結方向に回転した状態のナットの右側は平面図、左側は水平断面図である。
【図９】本発明の一実施形態において、外側部材に締結方向へのトルクが加えられた状態のナットの側面図である。
【図１０】本発明の一実施形態に係るナットにおいて、弛緩する際の外側当接体の軌跡を示す図である。
【図１１】本発明の一実施形態において、弛緩途中のナットの右側は平面図、左側は水平断面図である。
【発明を実施するための形態】
【００１６】
以下、本発明の一実施形態に係るナットとして、キッチンのシンク等の槽体に用いられるナットを例に挙げて説明する。
図１は、本発明の一実施形態に係るナットが締結されたキッチンの槽体の側面図である。図２は、本発明の一実施形態に係るナットをキッチンの槽体から取り外し、上方から見た分解斜視図である。図３は、本発明の一実施形態に係るナットをキッチンの槽体から取り外し、下方から見た分解斜視図である。
図１から図３に示すように、槽体１００は、ナット１によりトラップ１１０と接続されている。
【００１７】
図２に示すように、キッチンの天板１０１（図１参照）に設けられた槽体１００の底部１００Ｂには、下方に筒状に延びる連結体（締結対象物）１０２が固定されている。連結体１０２の下部の外周面には、雄ネジ部１０２Ｘが設けられている。
【００１８】
図２及び図３に示すように、ナット１は、槽体１００の連結体１０２に締結され環状をなす内側部材２と、内側部材２の径方向の外側に装着される外側部材５と、を備えている。本実施形態では、内側部材２及び外側部材５は、樹脂により形成されている。以下、ナット１は、上下方向をなす軸線Ｏ方向に沿って配置されているものとして説明する。
【００１９】
内側部材２は、環状に形成された内環状体２０と、内環状体２０の外周面２０Ｐから径方向の外側に突出する係合爪部（突起部）３０と、内環状体２０の上面２０Ｔから上方に突出する上向き凸部（内側当接体）４０と、を有している。
【００２０】
内環状体２０の内周面には、槽体１００の連結体１０２の雄ネジ部１０２Ｘに締結される雌ネジ部２０Ｘが形成されている。内環状体２０の内周面において、上部には軟性樹脂で形成されたパッキン２１が嵌め込まれている。
【００２１】
内環状体２０の下部には、上方に向かって環状に凹む下側嵌合部２２が形成されている。この下側嵌合部２２には、トラップ１１０の上端部が嵌め込まれる。
【００２２】
係合爪部３０は、内環状体２０の上下方向の高さと略同一の高さを有している。係合爪部３０は、内環状体２０の周方向に略等間隔に４箇所に設けられている。
【００２３】
図４は、外側部材５に締結方向Ｘへのトルクが加えられていない状態のナット１の右側は平面図、左側は水平断面図である。図５は、外側部材５に締結方向Ｘへのトルクが加えられていない状態のナット１の側面図である。図６は、ナット１において、締結する際の下向き突出部７０の軌跡を示す図である。
なお、ナット１を締付ける際に回転させる方向を締結方向Ｘと称し、ナット１を緩める際に回転させる方向を弛緩方向Ｙと称する。また、締結方向Ｘ及び弛緩方向Ｙは、ともに周方向とも称する。
図４及び図６に示すように、各上向き凸部４０は、締結方向Ｘの後方に形成された内側支持面（内側支持部）４１と、内側支持面４１の径方向の外側の端部に連続して形成された外側面４２と、を有している。さらに、上向き凸部４０は、外側面４２の締結方向Ｘの前方の端部に連続して形成された内側係合面（内側係合部）４３と、内側係合面４３の径方向の内側の端部に連続して形成された内側摺動面４４と、を有している。
【００２４】
内側支持面４１は、径方向の外側に向かうしたがって次第に締結方向Ｘの前方に向かうように、径方向に対して傾斜して形成されている。外側面４２は、周方向に沿うように形成されている。内側係合面４３は、径方向に沿うように形成されている。内側摺動面４４において締結方向Ｘの前側は、締結方向Ｘの後方に向かうにしたがって次第に径方向内側に向かうように、周方向に対して僅かに傾斜して形成されている。内側摺動面４４において締結方向Ｘの後側は、周方向に沿うように形成されている。
【００２５】
内側支持面４１と外側面４２とにより形成される角部４１Ｃ、外側面４２と内側係合面４３とにより形成される角部４２Ｃ、内側係合面４３と内側摺動面４４とにより形成される角部４３Ｃ及び内側摺動面４４と内側支持面４１とにより形成される角部４４Ｃは、それぞれ曲線状に形成されている。
【００２６】
図２及び図３に示すように、外側部材５は、環状に形成され、内側部材２の径方向の外側に配置される外環状体５０と、外環状体５０の下端に形成され径方向の外側に延びるフランジ５１とを有している。
【００２７】
外環状体５０の外周面には、径方向の内側に凹む凹部５２が形成されている。凹部５２は、平面視円弧状に形成されている。凹部５２が周方向に複数形成されることで、凹部５２と凹部５２との間は、径方向外側に膨らむ凸部５３とされている。凹部５２と凸部５３とが連続して配置されることで、利用者が外側部材５を把持して締結する際に滑りにくい構造とされている。
【００２８】
図３及び図５に示すように、外環状体５０の下部には、径方向に貫通する開口部５５が形成されている。開口部５５は、周方向から見て矩形状をなしている。開口部５５には、内側部材２の係合爪部３０が配置されている。外側部材５に締結方向Ｘへのトルクが加えられていない状態において、係合爪部３０は、開口部５５の締結方向Ｘの前側に配置されている。開口部５５は、外環状体５０の周方向に略等間隔に４箇所に設けられている。
【００２９】
外環状体５０の外周面において、開口部５５の上部に、径方向に凹む印部５６が設けられている。印部５６は、周方向から見て下向き三角をなしている。下向き三角の下側の頂点５６Ａは、開口部５５の幅方向一端側（締結方向Ｘの後側）を指している。
【００３０】
図２及び図４に示すように、さらに、外側部材５は、外環状体５０の内周面５０Ｑから突出するアーム体６０を有している。アーム体６０は、外環状体５０の周方向に略等間隔に４箇所に設けられている。
【００３１】
アーム体６０は、外環状体５０の内周面５０Ｑに設けられた基部６１と、基部６１から締結方向Ｘの前方に延びる腕部６５と、を有している。これら基部６１及び腕部６５は、一体的に形成されている。基部６１の下面は、内環状体２０の上面２０Ｔに当接している。
【００３２】
基部６１は、外環状体５０の内周面５０Ｑから径方向の内側に延び、周方向に離間して配置された一対の延出壁部６２を有している。一対の延出壁部６２の径方向の内側の端部同士は、連結壁部６３で連結されている。
【００３３】
腕部６５は、連結壁部６３の上部に連続して形成されている。換言すると、腕部６５と内環状体２０の上面２０Ｔとの間には空間部６５Ｓ（図２参照）が形成されている。このように、腕部６５の上下方向の厚みは、基部６１の上下方向の厚みよりも薄く形成されているため、腕部６５は撓みやすくなっている。
【００３４】
図３に示すように、腕部６５の先端部には、下方に向かって延びる下向き突出部（外側当接体）７０が設けられている。
図６に示すように、各下向き突出部７０は、締結方向Ｘの後方に形成された外側係合面（外側係合部）７１と、外側係合面７１の径方向の外側の端部に連続して形成された第一外側摺動面（外側摺動面）７２と、第一外側摺動面７２の締結方向Ｘの前方の端部に連続して形成された第二外側摺動面７３と、を有している。さらに、下向き突出部７０は、第二外側摺動面７３の締結方向Ｘの前方の端部に連続して形成された外側支持面（外側支持部）７４と、外側支持面７４の径方向の内側の端部に連続して形成された内側面７５と、を有している。
【００３５】
外側部材５に締結方向Ｘへのトルクが加えられていない状態（図６に示すハッチングの状態）において、外側係合面７１は、径方向に沿うように形成されている。第一外側摺動面７２は、締結方向Ｘの後方に向かうにしたがって次第に径方向の内側に向かうように、周方向に対して僅かに傾斜して形成されている。第二外側摺動面７３は、周方向に沿うように形成されている。外側支持面７４は、径方向の外側に向かうしたがって次第に締結方向Ｘの前方に向かうように、径方向に対して傾斜して形成されている。内側面７５は、周方向に沿うように形成されている。
【００３６】
図２及び図３に示すように、トラップ１１０は、有底筒状に形成された本体１１１と、本体１１１の側部に形成された流出口（不図示）に接続された排出管１１２とを有している。
【００３７】
本体１１１部の上端部には、径方向の外側に延びるフランジ１１３が設けられている。フランジ１１３の上部には、上方に延び、環状に形成されたトラップ側嵌合部１１４が設けられている。トラップ側嵌合部１１４は、内側部材２の下側嵌合部２２に嵌め込まれる。また、トラップ１１０のフランジ１１３と外側部材５のフランジ５１とは、バンド１２０（図１参照）により互いに上下方向に離間しないように連結される。
【００３８】
次に、上記のキッチンの槽体１００とトラップ１１０とをナット１により接続する方法について説明する。
まず、図４の状態のように、外側部材５に対して内側部材２が嵌め込まれたナット１を、槽体１００の連結体１０２の外側に配置して、ナット１の外側部材５の外環状体５０の外周面を把持して、締結方向Ｘに回転させる。
【００３９】
すると、外側部材５のみが回転して、図６の二点鎖線で示すように、外側部材５の下向き突出部７０の外側支持面７４が、内側部材２の上向き凸部４０の内側支持面４１に当接する。これにより、外側部材５と内側部材２とは一体となって回転し、外側部材５に加えられたトルクが内側部材２に伝達され、内側部材２の雌ネジ部２０Ｘ（図２参照。以下同じ。）が連結体１０２の雄ネジ部１０２Ｘ（図２参照。以下同じ。）に螺合していく。
【００４０】
内側部材２が連結体１０２に所定量螺合し、外側部材５に加えるトルクを増やしていくと、内側部材２は回転せずに、外側部材５の下向き突出部７０の外側支持面７４が内側支持面４１上を径方向の外側に摺動して、外側部材５のみが回転する。
【００４１】
図７は、外側部材５に締結方向Ｘへのトルクが加えられた状態のナット１の右側は平面図、左側は水平断面図である。
図６の二点鎖線及び図７に示すように、下向き突出部７０の外側支持面７４が上向き凸部４０の内側支持面４１を乗り越えると、下向き突出部７０の外側支持面７４と内側面７５との角部７５Ｃが、上向き凸部４０の外側面４２を締結方向Ｘの前方に摺動する。この際、外側部材５の腕部６５は、径方向の外側に向かって撓むように、弾性変形している。
【００４２】
角部７５Ｃが、上向き凸部４０の外側面４２と内側係合面４３との角部４２Ｃに到達した後、さらに外側部材５が回転すると、上向き凸部４０は腕部６５の下方の空間部６５Ｓに配置されるとともに、外側部材５の腕部６５は元の状態に戻るように、つまり径方向の内側に向かって弾性変形する。この際、外側部材５の腕部６５は元の状態に戻ろうとする勢いで、下向き突出部７０の外側係合面７１が上向き凸部４０の内側係合面４３に衝突（係合）し、衝突音が発生する。
【００４３】
図８は、図７よりも、外側部材５がさらに締結方向Ｘに回転した状態のナット１の右側は平面図、左側は水平断面図である。
図６の二点鎖線及び図８に示すように、外側部材５はさらに回転すると、下向き突出部７０が上向き凸部４０よりも締結方向Ｘの前方且つ径方向の内側に配置される。
【００４４】
図９は、外側部材５に締結方向Ｘへのトルクが加えられた状態のナット１の側面図である。
上記に示す外側部材５の内側部材２に対する締結方向Ｘへの相対的な回転にともなって、内側部材２の係合爪部３０は、外側部材５の開口部５５の締結方向Ｘの前側に配置された状態（図５参照）から、開口部５５内を移動して、図９に示す開口部５５の締結方向Ｘの後端部５５Ｂに配置された状態になる。係合爪部３０は、外側部材５の外周面に設けられた印部５６の下向き三角の下側の頂点５６Ａの下方に配置されている。また、この際に、係合爪部３０が開口部５５の後端部５５Ｂに衝突して、衝突音が発生する。
【００４５】
この状態で、係合爪部３０は、開口部５５の締結方向Ｘの後端部５５Ｂに係合している。よって、外側部材５にさらにトルクを加えると、外側部材５と内側部材２とは一体となって回転し、外側部材５に加えられたトルクが内側部材２に伝達され、内側部材２は増し締めされる。
【００４６】
次に、内側部材２の下側嵌合部２２（図３参照）にトラップ１１０のトラップ側嵌合部１１４（図２参照）を嵌め込む。そして、外側部材５のフランジ５１とトラップ１１０のフランジ１１３とをバンド１２０（図１参照）で連結する。そして、トラップ１１０の排出管１１２に、不図示の配管を接続する。
【００４７】
次に、ナット１を弛緩する際について説明する。
図１０は、ナット１において、弛緩する際の下向き突出部７０の軌跡を示す図である。図１１は、弛緩途中のナット１の右側は平面図、左側は水平断面図である。
図１０及び図１１に示すように、外側部材５に弛緩方向（締結方向Ｘと反対方向）Ｙのトルクを加えると、外側部材５は弛緩方向Ｙに回転して、下向き突出部７０の第一外側摺動面７２が上向き凸部４０の内側摺動面４４に沿って摺動する。外側部材５がさらに回転すると、第二外側摺動面７３が内側摺動面４４に沿って摺動して、締結前の位置にまで戻る。この際、第一外側摺動面７２及び内側摺動面４４の締結方向Ｘの前側は、ともに締結方向Ｘの後方に向かうにしたがって次第に径方向の内側に向かうように、周方向に対して僅かに傾斜して形成されているため、大きなトルクを加えなくても弛緩しやすい。
【００４８】
このように構成されたナット１では、外側部材５に所定量未満の締結方向Ｘへのトルクが加えられた場合に、内側部材２に締結方向Ｘの後方に設けられた内側支持面４１と、外側部材５に締結方向Ｘの前方に設けられた外側支持面７４とが当接し、外側部材５から内側部材２へトルクが伝達される。これにより、内側部材２の雌ネジ部２０Ｘが、槽体１００の連結体１０２に設けられた雄ネジ部１０２Ｘに締結される。そして、外側部材５に所定量以上の締結方向Ｘへのトルクが加えられた場合に、外側支持面７４が内側支持面４１を締結方向Ｘの前方に乗り越えるとともに、外側部材５の外側係合面７１と内側部材２の内側係合面４３とが衝突する。よって、所定量の締結方向Ｘへのトルクで、ナット１を槽体１００の連結体１０２に適正に締結させることができる。さらに、外側係合面７１と内側係合面４３とが係合する際及びこれとほぼ同時に内側部材２の係合爪部３０が外側部材５の開口部５５の後端部５５Ｂに係合する際に、衝突音が発せられるため、使用者は当該衝突音を聞いて、ナット１が槽体１００の連結体１０２に適正に締結されたことを確認することができる。
【００４９】
また、外側部材５の内周面には径方向に突出する基部６１が設けられ、基部６１から締結方向Ｘの前方に弾性変形可能な腕部６５が延び、腕部６５の前端部に下向き突出部７０が設けられている。これにより、外側部材５に所定量未満の締結方向Ｘへのトルクが加えられた状態では、腕部６５が弾性変形することで、腕部６５の前端部に設けられた下向き突出部７０の外側支持面７４が、内側部材２の内側支持面４１に当接した状態を維持することができる。よって、外側部材５から内側部材２へトルクが伝達された状態を維持することができる。
また、外側部材５に所定量以上の締結方向Ｘへのトルクが加えられ、下向き突出部７０の外側支持面７４が内側支持面４１を締結方向Ｘの前方に乗り越えると、腕部６５は元の状態に戻ろうと弾性変形する。下向き突出部７０は腕部６５の前端部に設けられているため、腕部６５が元の状態に戻る際に、下向き突出部７０に大きな力が作用し、勢いよく戻る。よって、下向き突出部７０の外側係合面７１が内側部材２の内側係合面４３と係合する際に、確実に衝突音を発することができる。
【００５０】
また、外側部材５に所定量以上の締結方向Ｘへのトルクが加えられると、外側係合面７１と内側係合面４３とが係合した後、下向き突出部７０が上向き凸部４０よりも径方向の内側に配置されるように下向き突出部７０と上向き凸部４０とは離間する。この状態から、外側部材５に弛緩方向Ｙへのトルクが加えられると、下向き突出部７０の径方向の外側に設けられた第一外側摺動面７２及び第二外側摺動面７３が、上向き凸部４０の径方向の内側に設けられた内側摺動面４４に沿って摺動する。第一外側摺動面７２及び内側摺動面４４の締結方向Ｘの前側の部分は、ともに締結方向Ｘの後方に向かうにしたがって次第に径方向の内側に向かうように形成されているため、第一外側摺動面７２が内側摺動面４４に沿って摺動する際に、互いに干渉することなく、滑らかに摺動する。よって、ナット１を槽体１００の連結体１０２から、大きなトルクを加えずに容易に取り外すことができる。
【００５１】
また、外側部材５に所定量以上の締結方向Ｘへのトルクが加えられた場合に、係合爪部３０は、外側部材５の外周面に形成された開口部５５の締結方向Ｘの後端部に配置される。また、外側部材５の外周面において、印部５６の下向き三角の下側の頂点５６Ａが、開口部５５の締結方向Ｘの後側を指すように設けられている。よって、使用者は、係合爪部３０が印部５６の下向き三角の下側の頂点５６Ａの下方に配置されたことを目視で確認することで、ナット１が槽体１００の連結体１０２に適正に締結されたと把握することができる。
【００５２】
なお、上述した実施の形態において示した各構成部材の諸形状や組み合わせ等は一例であって、本発明の主旨から逸脱しない範囲において設計要求等に基づき種々変更可能である。
【００５３】
例えば、上記に示す実施形態において、下向き突出部７０は外側部材５の内周面に設けられた基部６１から延びる腕部６５の先端部に設けられているが、本発明はこれに限られない。内側部材２の上面に基部が設けられ、基部から延びる腕部の先端部に内側当接体が設けられるとともに、当該内側当接体と当接及び係合可能に外側当接体が設けられていてもよい。あるいは、外側部材５において、外環状体５０の上部に径方向内側に延びる壁部が設けられ、当該壁部から下方に延びるように外側当接体が設けられていてもよい。
【００５４】
また、上記に示す実施形態において、下向き突出部７０の外側係合面７１と上向き凸部４０の内側係合面４３とが衝突することで衝突音が発生する構成であるが、本発明はこれに限られない。外側部材５の締結方向Ｘの後方に設けられた外側係合部と、内側部材２の締結方向Ｘの前方に設けられた内側係合部とが係合する構成であればよく、例えば、下向き突出部７０の内側面７５と外側係合面７１との角部７５Ｃが上向き凸部４０の内側係合面４３に衝突する構成でもよく、または下向き突出部７０の外側係合面７１と第一外側摺動面７２との角部７１Ｃが内側係合面４３に衝突する構成等であってもよい。あるいは、上向き凸部４０とは別体で、内環状体２０の上面から上方に突出する内側係合部が、上向き凸部４０よりも締結方向Ｘの前方に設けられる構成であってもよい。
【００５５】
また、上記に示す実施形態において、外側部材５に所定量以上の締結方向Ｘへのトルクを加えた際に、下向き突出部７０は上向き凸部４０を径方向の外側から乗り越えるが、本発明はこれに限られず、下向き突出部７０が上向き凸部４０を径方向の内側から乗り越える構成であってもよい。また、外側部材５に弛緩方向Ｙへのトルクを加えた際に、下向き突出部７０は上向き凸部４０の径方向の内側を摺動するが、本発明はこれに限られず、下向き突出部７０が上向き凸部４０の径方向の外側を摺動する構成であってもよい。
【００５６】
また、上記に示す実施形態において、下向き突出部７０及び上向き凸部４０は、それぞれ４個設けられているが、本発明はこれに限られず、必要されるトルクの大きさ等に応じて、個数を設定することができる。
【符号の説明】
【００５７】
１…ナット
２…内側部材
５…外側部材
２０…内環状体
２０Ｘ…雌ネジ部
２１…パッキン
２２…下側嵌合部
３０…係合爪部（突起部）
４０…上向き凸部（内側当接体）
４１…内側支持面（内側支持部）
４２…外側面
４３…内側係合面（内側係合部）
４４…内側摺動面
５０…外環状体
５１…フランジ
５５…開口部
５６…印部
６０…アーム体
６１…基部
６５…腕部
６５Ｓ…空間部
７０…下向き突出部（外側当接体）
７１…外側係合面（外側係合部）
７２…第一外側摺動面（外側摺動面）
７３…第二外側摺動面
７４…外側支持面（外側支持部）
７５…内側面
１００…槽体
１０１…天板
１０２…連結体（締結対象物）
１０２Ｘ…雄ネジ部
１１０…トラップ
１１１…本体
１１２…排出管
１１４…トラップ側嵌合部
１２０…バンド
Ｏ…軸線
Ｘ…締結方向
Ｙ…弛緩方向
【図１】
0006719187.tif 000002
【図２】
0006719187.tif 000003
【図３】
0006719187.tif 000004
【図４】
0006719187.tif 000005
【図５】
0006719187.tif 000006
【図６】
0006719187.tif 000007
【図７】
0006719187.tif 000008
【図８】
0006719187.tif 000009
【図９】
0006719187.tif 000010
【図１０】
0006719187.tif 000011
【図１１】
0006719187.tif 000012